(57)【要約】【課題】外箱の周りに殆どスペースを必要とせず、かつ、洗濯物を出し入れするときの作業性を向上できる洗濯機を提供する。【解決手段】開口部６を有する外箱１内には、開口部６に対向する開口部８を有する水槽２が配置されて、水槽２内には、洗濯物を収容する回転ドラム３が回転自在に配置されている。外箱１の開口部６は、外箱１に対してスライドする外部ドア７で開閉して、水槽２の開口部８は、水槽２に回動自在に取り付けた蓋体９で開閉する。水槽２には、水槽２の開口部８を取り囲むカバー部材１０を取り付けている。カバー部材１０は外箱１の開口部６よりも大きい。【選択図】図１
2006247100.tif 000002
【特許請求の範囲】
【請求項１】
第１開口部を有する外箱と、
上記外箱内に配置され、上記外箱の第１開口部に対向する第２開口部を有する水槽と、
上記水槽内に回転自在に配置され、洗濯物を収容する回転ドラムと、
上記外箱に対してスライドして上記外箱の第１開口部を開閉する第１蓋体と、
上記水槽に回動自在に取り付けられ、上記水槽の第２開口部を開閉する第２蓋体と、
上記水槽に取り付けられて上記水槽の第２開口部を取り囲む、上記外箱の第１開口部よりも大きいカバー部材と
を備えたことを特徴とするドラム式洗濯機。
【請求項２】
請求項１に記載のドラム式洗濯機において、
上記水槽は、水槽後部と、この水槽後部に取り外し可能に取り付けられ、上記第２開口部を有する水槽前部とからなり、
上記カバー部材は上記水槽前部に取り外し可能に取り付けられていることを特徴とするドラム式洗濯機。
【請求項３】
請求項１に記載のドラム式洗濯機において、
上記水槽は、水槽本体と、この水槽本体に取り外し可能に取り付けられ、上記第２開口部を有する水槽蓋体とからなり、
上記カバー部材は上記水槽蓋体に取り外し可能に取り付けられていることを特徴とするドラム式洗濯機。
【請求項４】
請求項１に記載のドラム式洗濯機において、
上記カバー部材は上記第２蓋体よりも上記水槽側に位置することを特徴とするドラム式洗濯機。
【請求項５】
請求項１に記載のドラム式洗濯機において、
上記カバー部材は上記外箱の第１開口部に対して離間していることを特徴とするドラム式洗濯機。
【請求項６】
請求項１に記載のドラム式洗濯機において、
上記カバー部材の外周縁部は上記外箱の第１開口部に向かって屈曲していることを特徴とするドラム式洗濯機。
【請求項７】
請求項１に記載のドラム式洗濯機において、
上記カバー部材は弾性材料からなることを特徴とするドラム式洗濯機。
【請求項８】
請求項１に記載のドラム式洗濯機において、
上記カバー部材は比較的柔らかい部材と比較的硬い部材とからなることを特徴とするドラム式洗濯機。
【請求項９】
請求項８に記載のドラム式洗濯機において、
上記カバー部材に関して上記外箱の第１開口部近傍の部分は上記比較的柔らかい部材からなり、
上記カバー部材に関して上記水槽の第２開口部近傍の部分は上記比較的硬い部材からなることを特徴とするドラム式洗濯機。
【請求項１０】
請求項１に記載のドラム式洗濯機において、
上記外箱の第１開口部における上記水槽側の周端部は上記カバー部材に接触していることを特徴とするドラム式洗濯機。
【請求項１１】
請求項１に記載のドラム式洗濯機において、
上記外箱の第１開口部における上記水槽側の周端部は上記カバー部材よりも柔らかい緩衝材からなっていることを特徴とするドラム式洗濯機。
【発明の詳細な説明】
【技術分野】
【０００１】
本発明はドラム式洗濯機に関する。
【背景技術】
【０００２】
従来、ドラム式洗濯乾燥機としては、特許文献１（特開２００１−１４９６８９号公報）に開示されたものがある。このドラム式洗濯機は、図１０に示すように、外箱１０１の前面に洗濯物出し入れ口１０２を設け、この洗濯物出し入れ口１０２を開閉するための外部ドア１０３を外箱１０１にヒンジ１０４で回動自在に取り付けている。
【０００３】
上記従来のドラム式洗濯機では、外部ドア１０３をヒンジ１０４を中心に前方に開いて、洗濯物出し入れ口１０２を通して洗濯物を出し入れするが、このとき、外部ドア１０３は外箱１０１から前方に向って突出した状態となる。このため、上記ドラム式洗濯機を使用するには、外箱１０１を配置するためのスペースの他に、外部ドア１０３を前方に開くためのスペースが必要である。そのため、上記ドラム式洗濯機は、外箱１０１の周りのスペースが小さいと、使用することができないという問題がある。
【０００４】
また、上記従来のドラム式洗濯機では、外部ドア１０３が開いて前方に突出した状態で洗濯物の出し入れを行わなければならないため、この外箱１０１の前方に開いている外部ドア１０３が、洗濯物を出し入れするときの作業の邪魔になるという問題がある。
【特許文献１】特開２００１−１４９６８９号公報
【発明の開示】
【発明が解決しようとする課題】
【０００５】
そこで、本発明の課題は、外箱の周りに殆どスペースを必要とせず、かつ、洗濯物を出し入れするときの作業性を向上できる洗濯機を提供することにある。
【課題を解決するための手段】
【０００６】
上記課題を解決するため、本発明のドラム式洗濯機は、
第１開口部を有する外箱と、
上記外箱内に配置され、上記外箱の第１開口部に対向する第２開口部を有する水槽と、
上記水槽内に回転自在に配置され、洗濯物を収容する回転ドラムと、
上記外箱に対してスライドして上記外箱の第１開口部を開閉する第１蓋体と、
上記水槽に回動自在に取り付けられ、上記水槽の第２開口部を開閉する第２蓋体と、
上記水槽に取り付けられて上記水槽の第２開口部を取り囲む、上記外箱の第１開口部よりも大きいカバー部材と
を備えたことを特徴としている。
【０００７】
上記構成のドラム式洗濯機によれば、上記第１蓋体は外箱に対してスライドして外箱の第１開口部を開閉するので、従来の回動式のドアとは異なって、第１蓋体が外箱の前方に突出しない。したがって、上記外箱の前方に大きなスペースを必要とせず、小さな空きスペースでこの洗濯機を使用できる。
【０００８】
また、上記第１蓋体が外箱の前方に突出しないから、洗濯物を出し入れするとき、第１蓋体が使用者の邪魔にならず、洗濯物を出し入れするときの作業性を向上できる。
【０００９】
また、上記カバー部材が水槽の第２開口部を取り囲むので、水槽の第２開口部の周辺部がカバー部材で隠れる。したがって、上記外箱の第１開口部を通して見た水槽の美観を向上させることができる。つまり、いわゆる外観完成度を向上させることができる。
【００１０】
また、上記カバー部材が水槽の第２開口部を取り囲むので、外箱の第１開口部と水槽の第２開口部との間から外箱の内部を見え難くすることができる。
【００１１】
また、上記カバー部材が水槽の第２開口部を取り囲むので、洗濯物の投入時または取り出し時に、小さな衣類が外箱の第１開口部と水槽の第２開口部との間を通って外箱と水槽との間の空間へ落下するのを防止できる。
【００１２】
また、上記カバー部材を水槽に取り付けているので、水槽が振動して外箱に対して移動しても、カバー部材を水槽の移動に同期して移動する。このとき、上記カバー部材が外箱の第１開口部よりも大きいので、水槽の第２開口部の周辺部をカバー部材で隠し続けることができる。
【００１３】
一実施形態のドラム式洗濯機では、
上記水槽は、水槽後部と、この水槽後部に取り外し可能に取り付けられ、上記第２開口部を有する水槽前部とからなり、
上記カバー部材は上記水槽前部に取り外し可能に取り付けられている。
【００１４】
上記実施形態のドラム式洗濯機によれば、上記カバー部材を水槽前部に取り付けているので、カバー部材の交換を容易に行うことができる。
【００１５】
また、上記水槽前部は水槽後部から取り外し可能であるので、水槽後部から水槽前部を取り外すことにより、回転ドラムの点検を容易に行うことができる。
【００１６】
一実施形態のドラム式洗濯機では、
上記水槽は、水槽本体と、この水槽本体に取り外し可能に取り付けられ、上記第２開口部を有する水槽蓋体とからなり、
上記カバー部材は上記水槽蓋体に取り外し可能に取り付けられている。
【００１７】
上記実施形態のドラム式洗濯機によれば、上記カバー部材を水槽蓋体に取り付けているので、カバー部材の交換を容易に行うことができる。
【００１８】
また、上記水槽蓋体は水槽本体から取り外し可能であるので、水槽本体から水槽蓋体を取り外すことにより、回転ドラムの点検を容易に行うことができる。
【００１９】
一実施形態のドラム式洗濯機では、
上記カバー部材は上記第２蓋体よりも上記水槽側に位置する。
【００２０】
上記実施形態のドラム式洗濯機によれば、上記カバー部材を第２蓋体よりも水槽側に配置するので、第２蓋体の開閉時、第２蓋体がカバー部材に接触するのを防止することができる。
【００２１】
また、上記カバー部材を第２蓋体よりも水槽側に配置するので、第２蓋体を開放しても、水槽の第２開口部の周辺部をカバー部材で隠し続けることができる。したがって、上記第２蓋体の開放時に水槽の美観が低下するのを防ぐことができる。
【００２２】
一実施形態のドラム式洗濯機では、上記カバー部材は上記外箱の第１開口部に対して離間している。
【００２３】
上記実施形態のドラム式洗濯機によれば、上記カバー部材が外箱の第１開口部に対して離間するので、例えば脱水時に水槽と共にカバー部材が振動しても、カバー部材が外箱の第１開口部に接触しない。したがって、上記カバー部材が外箱の第１開口部に接触することによる異音の発生を防ぐことができる。
【００２４】
また、上記カバー部材が外箱の第１開口部に接触しないから、その接触によるカバー部材の摩耗がなく、カバー部材の寿命が低下するのを防ぐことができる。
【００２５】
また、上記カバー部材が外箱の第１開口部に対して離間するので、水槽の振動がカバー部材を介して外箱に伝わるのを防止できる。つまり、上記外箱の第１開口部とカバー部材との間で振動を遮断できる。
【００２６】
一実施形態のドラム式洗濯機では、上記カバー部材の外周縁部は上記外箱の第１開口部に向かって屈曲している。
【００２７】
上記実施形態のドラム式洗濯機によれば、上記カバー部材の外周縁部が外箱の第１開口部に向かって屈曲しているので、外箱の第１開口部と水槽の第２開口部との間から外箱の内部を見え難くする効果を大きくすることができると共に、小さな衣類が外箱の第１開口部と水槽の第２開口部との間を通って外箱と水槽との間の空間へ落下するのを防止する効果を大きくすることができる。
【００２８】
一実施形態のドラム式洗濯機では、上記カバー部材は弾性材料からなる。
【００２９】
上記実施形態のドラム式洗濯機によれば、上記カバー部材を弾性材料で形成するので、例えば脱水時に水槽と共にカバー部材が振動して外箱の第１開口部に接触しても、その接触よる衝撃を吸収・緩和できる。したがって、上記カバー部材が外箱の第１開口部に接触することで生じる異音を低減できると共に、水槽からカバー部材を介して外箱に伝達される振動を低減できる。
【００３０】
一実施形態のドラム式洗濯機では、上記カバー部材は比較的柔らかい部材と比較的硬い部材とからなる。
【００３１】
上記実施形態のドラム式洗濯機によれば、上記カバー部材を比較的柔らかい部材と比較的硬い部材とで構成するので、カバー部材に関して水槽の形状に適合する形状の自由度が増し、かつ、カバー部材に関する部品の作成が容易となる。
【００３２】
一実施形態のドラム式洗濯機では、
上記カバー部材に関して上記外箱の第１開口部近傍の部分は上記比較的柔らかい部材からなり、
上記カバー部材に関して上記水槽の第２開口部近傍の部分は上記比較的硬い部材からなる。
【００３３】
上記実施形態のドラム式洗濯機によれば、上記カバー部材に関して外箱の第１開口部近傍の部分を比較的柔らかい部材で構成するので、カバー部材が外箱の第１開口部に接触しても、その接触による衝撃を吸収・緩和できる。したがって、上記カバー部材が外箱の第１開口部に接触することで生じる異音を低減できると共に、水槽からカバー部材を介して外箱に伝達される振動を低減できる。
【００３４】
また、上記カバー部材に関して水槽の第２開口部近傍の部分は比較的硬い部材からなるので、カバー部材を水槽の第２開口部に容易に嵌合させることができ、かつ、水槽に対するカバー部材の取り付け精度を向上させることができる。
【００３５】
一実施形態のドラム式洗濯機では、上記外箱の第１開口部における上記水槽側の周端部は上記カバー部材に接触している。
【００３６】
上記実施形態のドラム式洗濯機によれば、上記外箱の第１開口部における水槽側の周端部はカバー部材に接触するので、外箱の第１開口部と水槽の第２開口部との間から外箱の内部を見え難くする効果を大きくすることができると共に、小さな衣類が外箱の第１開口部と水槽の第２開口部との間を通って外箱と水槽との間の空間へ落下するのを防止する効果を大きくすることができる。
【００３７】
一実施形態のドラム式洗濯機では、上記外箱の第１開口部における上記水槽側の周端部は上記カバー部材よりも柔らかい緩衝材からなっている。
【００３８】
上記実施形態のドラム式洗濯機によれば、上記外箱の第１開口部における水槽側の周端部をカバー部材よりも柔らかい緩衝材で構成するので、カバー部材を例えば弾性部材で形成しなくても、カバー部材が外箱の第１開口部に接触することによる衝撃を吸収・緩和できる。したがって、上記カバー部材を例えば樹脂材料で形成することにより、カバー部材の形状を安定させることができ、かつ、カバー部材の製造コストを下げることができる。
【発明の効果】
【００３９】
本発明のドラム式洗濯機は、外箱に対してスライドして外箱の第１開口部を開閉する第１蓋体を備えるので、外箱の前方に大きなスペースを必要とせず、小さな空きスペースで使用できる。
【００４０】
また、上記第１蓋体が外箱に対してスライドすることによって、第１蓋体が外箱の前方に突出しないから、洗濯物を出し入れするとき、第１蓋体が使用者の邪魔にならず、洗濯物を出し入れするときの作業性を向上できる。
【００４１】
また、本発明のドラム式洗濯機は、水槽の第２開口部を取り囲むカバー部材を備えるので、水槽の第２開口部の周辺部がカバー部材で隠れ、外箱の第１開口部を通して見た水槽の美観を向上させることができる。
【００４２】
また、上記カバー部材が水槽の第２開口部を取り囲むので、外箱の第１開口部と水槽の第２開口部との間から外箱の内部を見え難くすることができる。
【００４３】
また、上記カバー部材が水槽の第２開口部を取り囲むので、洗濯物の投入時または取り出し時に、小さな衣類が外箱の第１開口部と水槽の第２開口部との間を通って外箱と水槽との間へ落下するのを防止できる。
【００４４】
また、上記カバー部材が外箱の第１開口部よりも大きいので、カバー部材が水槽の移動に同期して移動しても、水槽の第２開口部の周辺部をカバー部材で隠し続けることができる。
【発明を実施するための最良の形態】
【００４５】
以下、本発明のドラム式洗濯機を図示の実施の形態により詳細に説明する。
【００４６】
図１に、本発明の一実施の形態のドラム式洗濯機の概略断面図を示す。
【００４７】
上記ドラム式洗濯機は、外箱１と、この外箱１内に配置された水槽２と、この水槽２内に回転自在に配置された回転ドラム３と、この回転ドラム３を回転させる駆動機構４と、水槽２を弾性支持するサスペンション５とを備えている。
【００４８】
上記外箱１の前面には略四角形状の開口部６が設けられており、この外箱１の開口部６を通して洗濯物の出し入れを行える。上記外箱１の開口部６は、外箱１に対して上下方向にスライド可能な外部ドア７によって開閉される。この外部ドア７のスライドは使用者の手によって行われる。つまり、上記外部ドア７は手動式のスライドドアである。例えば、上記外箱１の開口部６を開放させる場合、使用者は外部ドア７を矢印方向に手動でスライドさせる。なお、上記開口部６が第１開口部の一例であり、外部ドア７が第１蓋体の一例である。
【００４９】
上記水槽２は有底筒形状で、その略円形状の開口部８が少し斜め上方を向くように若干傾斜して横向き配置されている。上記水槽２の開口部８と水槽２の開口部８とは互いに離隔して対向している。上記水槽２の前面には、略楕円形状のヒンジ式の蓋体９が回動自在に取り付けられている。そして、上記水槽２の開口部８にはシール部材１４が固着されている。また、上記水槽２の開口部８の径方向外側には、板形状のカバー部材１０が配置されている。
【００５０】
上記カバー部材１０は、軟質樹脂やゴム等の弾性材料からなり、水槽２の開口部８の先端部の外径よりも少し大きな直径を有する略円形状の貫通穴５０を略中央部に有している。この貫通穴５０には水槽２の開口部８の先端部が入っている。つまり、上記水槽２の開口部８の先端部がカバー部材１０の貫通穴５０に嵌合している。また、上記カバー部材１０は外箱１の開口部６に対して離間している。すなわち、上記カバー部材１０は、水槽２の開口部８を取り囲むように設けられ、外箱１の開口部６との間に隙間を有している。なお、上記開口部８の第２開口部の一例であり、蓋体９が第２蓋体の一例である。
【００５１】
上記回転ドラム３は、回転ドラム３の回転軸が水平方向に対して角度５°〜３０°だけ後ろ側（回転ドラム３の奥側）が下がるように傾斜して配置されている。これにより、使用者がドラム式洗濯機の前面側に立ってドラム式洗濯機を操作する際に、見下ろすようにして容易に回転ドラム３の奥まで見通せる。
【００５２】
なお、図１において、１９は、上記ドラム式洗濯機の動作を制御する制御装置である。
【００５３】
図２に、上記外箱１の開口部６の概略正面図を示す。なお、図２では、上記シール部材１４の先端（前側の端）を含む面内におけるシール部材１４の外周縁を点線で示している。
【００５４】
上記蓋体９の回動軸に対して略垂直な方向に関して、蓋体９の一方の縁部には、蓋体９を水槽２に回動自在に連結するヒンジ部１５が設けられていると共に、蓋体９の他方の縁部には、蓋体９の開閉操作のための取っ手部１６が設けられている。
【００５５】
図３に、上記外箱１の開口部６およびその周辺部の概略断面図を示す。
【００５６】
上記カバー部材１０は外箱１の開口部６よりも大きくなっている。より詳しくは、上記蓋体９の回動軸に対して略平行な方向に関するカバー部材１０の長さＬ１は、蓋体９の回動軸に対して略平行な方向に関する開口部６の長さＬ２よりも長くなっている。そして、上記蓋体９の回動軸に対して略垂直な方向に関するカバー部材１０の長さは、蓋体９の回動軸に対して略垂直な方向に関する開口部６の長さよりも長くなっている（図２参照）。
【００５７】
図４に、上記水槽２、回転ドラム３、駆動機構４および蓋体９の概略断面図を示す。
【００５８】
上記水槽２は、略有底円筒形状の水槽後部２２と、この水槽後部２２にねじで固定された略円筒形状の水槽前部２１とからなっている。上記水槽前部２１の前面には取付部２３，２４が設けられ、この取付部２３，２４にカバー部材１０をねじで取り付けている。このカバー部材１０は蓋体９よりも水槽２側に配置されている。具体的には、上記カバー部材１０は内周縁部が蓋体９の外周縁部と水槽２との間に入るように配置されている。
【００５９】
上記構成のドラム式洗濯機によれば、図１に示すように、上記外部ドア７は外箱１に対してスライドして外箱１の開口部６を開閉するので、従来の回動式のドアとは異なって、外部ドア７が外箱１の前方に突出しない。したがって、上記外箱１の前方に大きなスペースを必要とせず、小さな空きスペースでこのドラム式洗濯機を使用できる。
【００６０】
また、上記外部ドア７が外箱１の前方に突出しないから、洗濯物を出し入れするとき、外部ドア７が使用者の邪魔にならず、洗濯物を出し入れするときの作業性を向上できる。
【００６１】
また、上記カバー部材１０が水槽２の開口部８を取り囲むことによって、図２に示すように、水槽２の開口部８の周辺部がカバー部材１０で隠れるので、外箱１の開口部６を通して見た水槽２の美観を向上させることができる。
【００６２】
また、上記カバー部材１０が水槽２の開口部８を取り囲むことによって、外箱１の開口部６と水槽２の開口部８との間から外箱１の内部を見え難くすることができる。
【００６３】
また、上記カバー部材１０を水槽２に取り付けているので、水槽２が振動して外箱１に対して移動しても、カバー部材１０を水槽２の移動に同期して移動させることができる。このとき、上記カバー部材１０が外箱１の開口部６よりも大きいので、水槽２の開口部８の周辺部をカバー部材１０で隠し続けることができる。
【００６４】
また、上記カバー部材１０が水槽２の開口部８を取り囲むことによって、洗濯物の投入時または取り出し時に、小さな衣類が外箱１と水槽２との間に落下するのを防止できる。
【００６５】
また、上記カバー部材１０を水槽前部２１にねじで取り付けているので、そのねじを緩めて外すことにより、カバー部材１０の交換を容易に行うことができる。
【００６６】
また、上記水槽後部２２に対して水槽前部２１を固定するねじを緩めて外すことにより、回転ドラム３の点検を前方から容易に行うことができる。
【００６７】
また、上記カバー部材１０が蓋体９よりも水槽２側に位置するので、蓋体９の開閉時、蓋体９がカバー部材１０に接触するのを防止することができる。
【００６８】
また、上記カバー部材１０が蓋体９よりも水槽２側に位置するので、蓋体９を開放しても、水槽２の開口部８の周辺部はカバー部材１０で隠し続けることができる。したがって、上記蓋体９の開放時の水槽２の美観が低下するのを防ぐことができる。
【００６９】
また、上記カバー部材１０と外箱１の開口部６との間に隙間があるので、回転ドラム３の回転によって水槽２と共にカバー部材１０が振動しても、カバー部材１０が外箱１の開口部６に接触しない。したがって、上記カバー部材１０が外箱１の開口部６に接触することによる異音の発生を防ぐことができる。
【００７０】
また、上記カバー部材１０が外箱１の開口部６に接触しないから、その接触によるカバー部材１０の摩耗がなく、カバー部材１０の寿命が低下するのを防ぐことができる。
【００７１】
また、上記カバー部材１０と外箱１の開口部６との間に隙間があるので、回転ドラム３の回転によって水槽２と共にカバー部材１０が振動しても、水槽２の振動がカバー部材１０を介して外箱１に伝わるのを防ぐことができる。
【００７２】
また、上記カバー部材１０を弾性材料で形成するので、例えば脱水時に水槽２と共にカバー部材１０が振動して外箱１の開口部６に接触しても、その接触よる衝撃を吸収・緩和できる。したがって、上記カバー部材１０が外箱１の開口部６に接触することで生じる異音を低減できると共に、水槽２からカバー部材１０を介して外箱１に伝達される振動を低減できる。
【００７３】
上記実施の形態では、水槽２を外箱１内に配置していたが、図５に示す水槽２０２を外箱１内に配置してもよい。
【００７４】
上記水槽２０２は、略有底円筒形状の水槽本体２２２と、この水槽本体２２２にねじで固定された略板形状の水槽蓋体２２３とからなっている。上記水槽蓋体２２３の前面には、第２開口部の一例としての開口部２０８と、取付部２２３，２２９とが設けられている。
【００７５】
また、上記実施の形態では、外箱１を用いていたが、図６に示す外箱３０１を用いてもよい。
【００７６】
上記外箱３０１の前面には、第１開口部の一例としての開口部３０６が設けられている。この外箱３０１の開口部３０６における水槽側の周端部３２５はカバー部材１０外部ドア７側の表面に接触している。したがって、上記実施の形態と比較して、外箱３０１の開口部３０６から外箱３０１の内部を見え難くする効果が大きく、かつ、小さな衣類が外箱３０１と水槽２との間の空間へ落下するのを防止する効果が大きくなっている。
【００７７】
また、上記実施の形態では、カバー部材１０を用いていたが、図７に示すカバー部材４１０を用いてもよい。
【００７８】
上記カバー部材４１０の外周縁部４２６は外箱１の開口部６に向かって屈曲している。したがって、上記実施の形態と比較して、上記外箱１の開口部６から外箱１の内部を見え難くする効果が大きく、かつ、小さな衣類が外箱１と水槽２との間の空間へ落下するのを防止する効果が大きくなっている。
【００７９】
また、上記実施の形態では、カバー部材１０を用いていたが、図８に示すカバー部材５１０を用いてもよい。
【００８０】
上記カバー部材５１０は、外箱１の開口部６近傍に位置する外周縁部５２６と、水槽２の開口部８近傍に位置する内周縁部５２７とからなっている。上記外周縁部５２６は比較的柔らかい部材で形成されている一方、内周縁部５２７は比較的硬い部材で形成されている。したがって、上記カバー部材５１０に関して水槽２の形状に適合する形状の自由度が増し、かつ、カバー部材５１０に関する部品の作成が容易となる。
【００８１】
また、上記外周縁部５２６は内周縁部５２７に比べて柔らかいので、カバー部材５１０の外周縁部５２６が外箱１の開口部６に接触しても、その接触による衝撃を吸収・緩和できる。したがって、上記カバー部材５１０の外周縁部５２６が外箱１の開口部６に接触することで生じる異音を低減できると共に、水槽２からカバー部材５１０を介して外箱１に伝達される振動を低減できる。
【００８２】
また、内周縁部５２７は外周縁部５２６に比べて硬いので、カバー部材５１０を水槽２の開口部８に容易に嵌合させることができ、かつ、水槽２に対するカバー部材５１０の取り付け精度を向上させることができる。
【００８３】
また、上記実施の形態では、外箱１を用いていたが、外箱６０１を用いてもよい。
【００８４】
上記外箱６０１の前面には、第１開口部の一例としての開口部６０６が設けられている。上記開口部６０６の水槽２側の周端部６２５はカバー部材１０よりも柔らかい緩衝材からなっている。したがって、例えば樹脂材料からなるカバー部材をカバー部材１０の代わりに用いても、樹脂材料からなるカバー部材と外箱６０１の開口部６０６との接触による衝撃を吸収・緩和できる。
【００８５】
上記樹脂材料からなるカバー部材を用いた場合、カバー部材の形状を安定させることができ、かつ、カバー部材の製造コストを下げることができる。
【００８６】
本発明は、乾燥機能を有するドラム式洗濯機であっても、乾燥機能を有しないドラム式洗濯機であっても適用できることは言うまでもない。
【００８７】
なお、図５〜図９において、図１〜図４に示した構成部と同一構成部には、図１〜図４における構成部と同一参照番号を付している。また、図５〜図９では回転ドラム３の図示を省略している。
【図面の簡単な説明】
【００８８】
【図１】図１は本発明の一実施の形態のドラム式洗濯機の概略断面図である。
【図２】図２は上記ドラム式洗濯機の外箱の開口部の概略正面図である。
【図３】図３は上記外箱の開口部およびその周辺部の概略断面図である。
【図４】図４は上記ドラム式洗濯機の水槽、回転ドラム、駆動機構および蓋体の概略断面図である。
【図５】図５は上記水槽の変形例を説明するための概略断面図である。
【図６】図６は上記外箱の変形例の要部を説明するための概略断面図である。
【図７】図７は上記ドラム式洗濯機のカバー部材の変形例を説明するための概略断面図である。
【図８】図８は上記カバー部材の他の変形例を説明するための概略断面図である。
【図９】図９は上記外箱の他の変形例の要部を説明するための概略断面図である。
【図１０】図１０は従来のドラム式洗濯機の概略斜視図である。
【符号の説明】
【００８９】
１，３０１，６０１  外箱
２，２０２  水槽
３  回転ドラム
６，３０６，６０６  外箱の開口部
７  外部ドア
８  水槽の開口部
９  蓋体
１０，４１０，５１０  カバー部材
５２６  カバー部材の外周縁部
５２７  カバー部材の内周縁部
２２１  水槽蓋体
２２２  水槽本体
３２５，６２５  外箱の開口部における水槽側の周端部
【図１】
2006247100.tif 000003
【図２】
2006247100.tif 000004
【図３】
2006247100.tif 000005
【図４】
2006247100.tif 000006
【図５】
2006247100.tif 000007
【図６】
2006247100.tif 000008
【図７】
2006247100.tif 000009
【図８】
2006247100.tif 000010
【図９】
2006247100.tif 000011
【図１０】
2006247100.tif 000012